(57)【要約】本発明は、電磁タッチ構造、直下型バックライト表示モジュール及びディスプレイを開示する。該電磁タッチ構造は、枠体構造と、該枠体構造に設けられた電磁スクリーン構造と、を含み、該枠体構造は、凹溝状の金属後部筐体と、該金属後部筐体の周縁に周設された枠構造と、を含み、該電磁スクリーン構造は、該金属後部筐体と該枠構造との間に積み重なるように設けられた拡散板及び電磁フィルムと、該電磁フィルムの周縁に設けられた永久磁石構造と、を含み、該永久磁石構造は、該金属後部筐体と該枠構造との間に位置し、該電磁フィルムは、該拡散板の上方又は下方に設けられている。本発明に係る技術によれば、金属後部筐体により遮蔽された電磁信号を強化することができ、タッチ又は手書き信号を正常に認識することができる。【選択図】図２
2021526273.tif 000002
【特許請求の範囲】
【請求項１】
枠体構造と、前記枠体構造に設けられた電磁スクリーン構造と、を含み、
前記枠体構造は、凹溝状の金属後部筐体と、前記金属後部筐体の周縁に周設された枠構造と、を含み、
前記電磁スクリーン構造は、前記金属後部筐体と前記枠構造との間に積み重なるように設けられた拡散板及び電磁フィルムと、前記電磁フィルムの周縁に設けられた永久磁石構造と、を含み、
前記永久磁石構造は、前記金属後部筐体と前記枠構造との間に位置し、
前記電磁フィルムは、前記拡散板の上方又は下方に設けられていることを特徴とする電磁タッチ構造。
【請求項２】
前記永久磁石構造は珪素鋼板により構成されていることを特徴とする請求項１に記載の電磁タッチ構造。
【請求項３】
前記金属後部筐体は、凹溝状の後部筐体本体と、前記後部筐体本体の周辺側に設けられた後部筐体縁部と、を含み、
前記電磁フィルムは、前記後部筐体本体に吊設されたフィルム本体と、前記フィルム本体の周辺側に設けられ、且つ前記後部筐体縁部に対応するフィルム縁部と、を含み、
前記永久磁石構造は、前記フィルム縁部と前記後部筐体縁部との間に設けられていることを特徴とする請求項１に記載の電磁タッチ構造。
【請求項４】
前記永久磁石構造は、前記フィルム縁部と前記後部筐体縁部との間に設けられた永久磁石本体を含み、前記永久磁石本体に接続され、且つ前記後部筐体本体の内側に延在する永久磁石接続部をさらに含むことを特徴とする請求項３に記載の電磁タッチ構造。
【請求項５】
前記永久磁石構造は、前記フィルム縁部と前記後部筐体縁部との間に設けられた永久磁石本体を含み、前記フィルム縁部と前記枠構造との間に位置する永久磁石補助体をさらに含み、
前記永久磁石本体及び前記永久磁石補助体は、それぞれ前記フィルム縁部の両側に覆設されていることを特徴とする請求項３又は４に記載の電磁タッチ構造。
【請求項６】
前記永久磁石本体と前記永久磁石補助体とは、互いに独立して設けられ、或いは、
前記永久磁石本体は、前記フィルム縁部に沿って延在し、前記フィルム縁部の端部を迂回して前記永久磁石補助体に接続されていることを特徴とする請求項５に記載の電磁タッチ構造。
【請求項７】
前記金属後部筐体の内側に設けられ、且つ前記拡散板に対応する反射シートをさらに含み、
前記永久磁石構造は、前記金属後部筐体と前記反射シートとの間に設けられていることを特徴とする請求項１乃至３の何れかに記載の電磁タッチ構造。
【請求項８】
前記電磁スクリーン構造は、前記枠構造内に設けられた表示スクリーンを含み、
前記表示スクリーンは、前記電磁フィルムに対応することを特徴とする請求項１乃至３の何れかに記載の電磁タッチ構造。
【請求項９】
請求項１乃至８の何れかに記載の電磁タッチ構造を含むことを特徴とする直下型バックライト表示モジュール。
【請求項１０】
請求項９に記載の直下型バックライト表示モジュールを含むことを特徴とするディスプレイ。
【発明の詳細な説明】
【技術分野】
【０００１】
本発明は、表示装置の技術分野に関し、特に電磁タッチ構造、直下型バックライト表示モジュール及びディスプレイに関する。
【背景技術】
【０００２】
従来技術では、電磁タッチ技術は、大型（４０インチ以上）のタッチオールインワンマシン（ｔｏｕｃｈ  ａｌｌ−ｉｎ−ｏｎｅ
ｍａｃｈｉｎｅ）に適用され、特に直下型バックライト表示モジュールを表示スクリーンモジュールとして採用している設計に適用される場合、表示スクリーンの金属製の後部筐体の縁部が電磁アンテナに近いため、電磁による手書きを行う際に、表示スクリーンの縁部の電磁信号の一部が金属製の後部筐体により遮蔽され、金属製の後部筐体の縁部に位置する電磁アンテナの電磁コイルの磁束量が減少してしまう。よって、手書き信号の認識が困難になり、ディスプレイでは電磁ペンによる手書き又は制御を行う際に、ディスプレイの縁部で正常に使用できなくなってしまう（不連続的な線が生じたり、線を書けないなどの問題）。
【発明の概要】
【発明が解決しようとする課題】
【０００３】
本発明は、上記問題点を鑑み、金属後部筐体により遮蔽された電磁信号を強化することができ、タッチ又は手書き信号を正常に認識することができる、電磁タッチ構造、直下型バックライト表示モジュール及びディスプレイを提供する。
【課題を解決するための手段】
【０００４】
本発明の１つの態様では、枠体構造と、前記枠体構造に設けられた電磁スクリーン構造と、を含み、前記枠体構造は、凹溝状の金属後部筐体と、前記金属後部筐体の周縁に周設された枠構造と、を含み、前記電磁スクリーン構造は、前記金属後部筐体と前記枠構造との間に積み重なるように設けられた拡散板及び電磁フィルムと、前記電磁フィルムの周縁に設けられた永久磁石構造と、を含み、前記永久磁石構造は、前記金属後部筐体と前記枠構造との間に位置し、前記電磁フィルムは、前記拡散板の上方又は下方に設けられている、電磁タッチ構造を提供する。
【０００５】
従来の技術では、電磁フィルム及び電磁スクリーン構造の周囲の縁部が金属製の後部筐体と枠構造との間に設けられているため、電磁フィルムに対応する電磁アンテナモジュールと金属製の後部筐体との間の距離が比較的に近くなり、金属製の後部筐体及び枠構造が両者の間の電磁スクリーン構造の縁部に対して電磁シールドを形成し、金属製の後部筐体に位置する電磁アンテナモジュールの電磁コイルの磁束量が減少してしまう。これに対し、本発明では、電磁スクリーン構造の縁部に永久磁石構造を設けることで、縁部に位置する電磁アンテナモジュールの一部のコイルの磁束量を強化することができるため、金属後部筐体及び枠構造の電磁フィルム及び電磁スクリーン構造の電磁信号への遮蔽を低減又は排除することができる。これによって、電磁スクリーン構造を用いて電磁での手書きを行う際に、電磁スクリーン構造の縁部位置でも電磁信号を正常に認識することができ、電磁スクリーン構造の正常な使用を確保することができる。
【０００６】
本発明の更なる態様は以下の通りである。
【０００７】
さらに、前記永久磁石構造は珪素鋼板により構成されている。
【０００８】
さらに、前記金属後部筐体は、凹溝状の後部筐体本体と、前記後部筐体本体の周辺側に設けられた後部筐体縁部と、を含み、前記電磁フィルムは、前記後部筐体本体に吊設されたフィルム本体と、前記フィルム本体の周辺側に設けられ、且つ前記後部筐体縁部に対応するフィルム縁部と、を含み、前記永久磁石構造は、前記フィルム縁部と前記後部筐体縁部との間に設けられている。
【０００９】
さらに、前記永久磁石構造は、前記フィルム縁部と前記後部筐体縁部との間に設けられた永久磁石本体を含み、前記永久磁石本体に接続され、且つ前記後部筐体本体の内側に延在する永久磁石接続部をさらに含む。
【００１０】
さらに、前記永久磁石構造は、前記フィルム縁部と前記後部筐体縁部との間に設けられた永久磁石本体を含み、前記フィルム縁部と前記枠構造との間に位置する永久磁石補助体をさらに含み、前記永久磁石本体及び前記永久磁石補助体は、それぞれ前記フィルム縁部の両側に覆設されている。
【００１１】
さらに、前記永久磁石本体と前記永久磁石補助体とは、互いに独立して設けられ、或いは、前記永久磁石本体は、前記フィルム縁部に沿って延在し、前記フィルム縁部の端部を迂回して前記永久磁石補助体に接続されている。
【００１２】
さらに、前記金属後部筐体の内側に設けられ、且つ前記拡散板に対応する反射シートをさらに含み、前記永久磁石構造は、前記金属後部筐体と前記反射シートとの間に設けられている。
【００１３】
さらに、前記電磁スクリーン構造は、前記枠構造内に設けられた表示スクリーンを含み、
前記表示スクリーンは、前記電磁フィルムに対応する。
【００１４】
また、本発明は、上記の電磁タッチ構造を含む、直下型バックライト表示モジュールをさらに提供する。
【００１５】
また、本発明は、上記の直下型バックライト表示モジュールを含む、ディスプレイをさらに提供する。
【００１６】
本発明の有利な効果は以下の通りである。電磁タッチ構造の周囲の縁部に永久磁石構造（例えば珪素（シリコン）鋼板）を追加することで、金属後部筐体の縁部に対応する電磁アンテナモジュールの縁部のコイルの磁束量を強化することができるため、この応用シナリオにおける縁部での電磁による手書きの信号応答を改善し、手書きが縁部で異常になるとの問題を改善することができる。
【図面の簡単な説明】
【００１７】
【図１】本発明に係る電磁タッチ構造の断面構造を示す概略的なブロック図である。
【図２】本発明の幾つの実施例に係る電磁タッチ構造の横断面構造を示す概略的なブロック図である。
【図３】図２の部分Ａの部分拡大概略図である。
【図４】本発明の他の実施例に係る電磁タッチ構造の横断面構造を示す概略的なブロック図である。
【図５】図４の部分Ｂの部分拡大概略図である。
【符号の説明】
【００１８】
１００    金属後部筐体
１１０    後部筐体本体
１２０    後部筐体縁部
２００    枠構造
２１０    枠本体
２２０    位置決め溝
３００    拡散板
４００    電磁フィルム
４１０    フィルム本体
４２０    フィルム縁部
５００    永久磁石構造
５１０    永久磁石本体
５２０    永久磁石接続部
５３０    永久磁石補助体
６００    表示スクリーン
【発明を実施するための形態】
【００１９】
以下は本発明の実施例を詳細に説明する。全ての実施例の例は図面に示されており、各図における同一の符号は同一の部分を表す。以下の図面を参照しながら説明される実施例は、単なる本発明を説明するための例示的なものであり、本発明を制限するものではない。
【００２０】
図１及び図２に示すように、本発明の実施例に係る電磁タッチ構造は、枠体構造、該枠体構造に設けられた電磁スクリーン構造を含む。該枠体構造は電磁スクリーン構造を支持、固定することができ、電磁スクリーン構造は電磁による手書き及び制御の機能を実現することができる。
【００２１】
具体的には、図３に示すように、該枠体構造は、凹溝状の金属後部筐体１００（該金属後部筐体１００が外側に突出することを意味する）、及び金属後部筐体１００の周縁に周設された枠構造２００を含む。該電磁スクリーン構造の縁部は金属後部筐体１００に設けられ、該電磁スクリーン構造の中央部は金属後部筐体の中央の凹溝に対応し、枠構造２００は該電磁スクリーン構造の周囲から位置決め及び固定を行うことで、該電磁スクリーン構造を枠体構造に固定する。さらに、金属後部筐体１００は、凹溝状の後部筐体本体１１０、及び後部筐体本体の周辺側に設けられた後部筐体縁部１２０を含み、該電磁スクリーン構造の周縁は後部筐体縁部１２０に設けられ、該電磁スクリーン構造の中央部は該後部筐体本体１１０の上方に吊設されている。また、枠構造２００は、後部筐体縁部１２０に設けられた枠本体２１０、及び枠本体２１０に開設された位置決め溝２２０を含み、位置決め溝２２０は枠本体２１０と後部筐体縁部１２０との間に位置し、該電磁スクリーン構造の周縁は位置決め溝２２０内に位置し、これによって、該電磁スクリーン構造の位置決めと固定が実現された。
【００２２】
また、該電磁スクリーン構造は、金属後部筐体１００と枠構造２００との間に積み重なるように設けられた拡散板３００及び電磁フィルム４００を含む。電磁フィルム４００は、拡散板３００の上方（拡散板の金属後部筐体１００から離れた側を意味する）又は下方（拡散板の金属後部筐体１００に面する側を意味する）に設けられてもよい。また、拡散板３００及び電磁フィルム４００の固定を実現するために、拡散板３００及び電磁フィルム４００の周囲の縁部は、何れも金属後部筐体１００と枠構造２００との間の位置決め溝２２０内に設けられている。
【００２３】
また、該電磁スクリーン構造は、電磁フィルム４００の周縁に設けられた永久磁石構造をさらに含み、永久磁石構造５００は金属後部筐体１００と枠構造２００との間に位置する。従来の技術では、電磁フィルム４００及び電磁スクリーン構造の周囲の縁部が金属後部筐体１００と枠構造２００との間に設けられているため、電磁フィルム４００に対応する電磁アンテナモジュールと金属後部筐体１００との間の距離が比較的に近くなり、金属後部筐体１００及び枠構造２００が両者の間の電磁スクリーン構造の縁部に対して電磁シールドを形成し、金属後部筐体１００に位置する電磁アンテナモジュールの電磁コイルの磁束量が減少してしまう。これに対し、本発明では、電磁スクリーン構造の縁部に永久磁石構造５００を設けることで、縁部に位置する電磁アンテナモジュールの一部のコイルの磁束量を強化することができるため、金属後部筐体１００及び枠構造２００の電磁フィルム４００及び電磁スクリーン構造の電磁信号への遮蔽を低減又は排除することができる。これによって、電磁スクリーン構造を用いて電磁での手書きを行う際に、電磁スクリーン構造の縁部位置でも電磁信号を正常に認識することができ、電磁スクリーン構造の正常な使用を確保することができる。
【００２４】
さらに、電磁フィルム４００は、後部筐体本体１１０に吊設されたフィルム本体４１０、及びフィルム本体４１０の周辺側に設けられ、且つ後部筐体縁部１２０に対応するフィルム縁部４２０を含む。永久磁石構造５００はフィルム縁部４２０と後部筐体縁部１２０との間に設けられ、フィルム縁部４２０は後部筐体縁部１２０と枠本体２１０との間の位置決め溝２２０内にさらに位置する。即ち、永久磁石構造５００により、後部筐体縁部１２０と枠本体２１０との間に位置する電磁フィルム４００のフィルム縁部４２０の電磁性能を強化することができ、フィルム縁部４２０に位置する電磁アンテナモジュールの一部のコイルの磁束量を強化することができ、金属後部筐体１００及び枠構造２００のフィルム縁部４２０の電磁信号への遮蔽を低減又は排除することができ、フィルム縁部４２０でも電磁信号を正常に認識することができる。これによって、電磁フィルム４００全体でも電磁信号を正常に認識することができ、電磁タッチ構造全体の正常な動作を確保することができる。
【００２５】
また、図２及び図３に示すように、幾つかの実施例では、永久磁石構造５００は、フィルム縁部４２０と後部筐体縁部１２０との間に設けられた永久磁石本体５１０を含み、永久磁石本体５１０に接続され、且つ後部筐体本体１１０の内側（拡散板３００に面する側を意味する）に延在する永久磁石接続部５２０をさらに含む。永久磁石接続部５２０を設けることで、永久磁石構造５００全体を容易に位置決め、固定することができる。フィルム縁部４２０に位置する永久磁石本体５１０を設けることで、フィルム縁部４２０の電磁性能を容易に強化することができる。また、永久磁石本体５１０は、フィルム本体４１０まで部分的に延在するため、フィルム本体４１０とフィルム縁部４２０との間の接続境界部の電磁性能を保証する。また、この場合、電磁フィルム４００は拡散板３００の下方に設けられてもよく、即ち、電磁フィルム４００は金属後部筐体１００に面する側に設けられてもよい。
【００２６】
また、図４及び図５に示すように、他の実施例では、永久磁石構造５００は、フィルム縁部４２０と後部筐体縁部１２０との間に設けられた永久磁石本体５１０を含むだけではなく、フィルム縁部４２０と枠構造２００との間に位置する永久磁石補助体５３０をさらに含む。永久磁石本体５１０及び永久磁石補助体５３０は、それぞれフィルム縁部４２０の両側に覆設されている。フィルム縁部４２０の両側に共に永久磁石構造５００を設けることで、両側からフィルム縁部４２０の電磁性能を強化することができ、フィルム縁部４２０で電磁信号をより良く認識することができる。また、永久磁石本体５１０及び永久磁石補助体５３０は、何れもフィルム本体４１０まで部分的に延在するため、フィルム本体４１０とフィルム縁部４２０との間の接続境界部の電磁性能を保証する。また、この場合、電磁フィルム４００は拡散板３００の上方又は下方に設けられてもよい。また、永久磁石本体５１０と永久磁石補助体５３０とは、互いに独立して設けられてもよく、即ち、両者はそれぞれフィルム縁部４２０の両側に単独して設けられてもよい。或いは、永久磁石本体５１０は、フィルム縁部４２０に沿って延在し、フィルム縁部４２０の端部を迂回して永久磁石補助体５３０に接続されてもよく、即ち、永久磁石構造５００は、フィルム縁部４２０の両側に覆設されるようにＵ字形構造に設けられてもよい。
【００２７】
また、永久磁石構造５００は珪素鋼板（ｓｉｌｉｃｏｎ  ｓｔｅｅｌ  ｓｈｅｅｔ）により構成されてもよい。このような珪素鋼板は、優れた電磁性能を有し、電磁フィルム４００の縁部での電磁性能を良く強化することができる。また、永久磁石構造５００は、一体化構造に設けられ、即ち金属後部筐体１００及び枠構造２００の周縁形状に応じて一体化の枠体状構造に設けられてもよい。また、永久磁石構造５００は、別体型の構造に設けられてもよく、即ち、永久磁石構造５００は、複数の珪素鋼板として設けられ、それぞれ金属後部筐体１００及び枠構造２００の周縁に設けられてもよい。
【００２８】
また、該電磁タッチ構造は、金属後部筐体１００の内側に設けられ、且つ拡散板３００に対応する反射シートをさらに含み、永久磁石構造５００は、金属後部筐体１００と反射シートとの間に設けられている。これによって、永久磁石構造５００は、該電磁タッチ構造の光学性能に影響を及ぼさない。
【００２９】
また、該電磁スクリーン構造は、枠構造２００内に設けられた表示スクリーン６００を含み、表示スクリーン６００は、電磁フィルム４００に対応する。電磁スクリーン構造は、表示スクリーン６００を設けることで、電磁タッチ機能を実現するだけではなく、表示機能も実現することができる。また、本実施例では、枠構造２００は、金属材料又はプラスチック材料により形成されてもよいし、必要に応じて他の材料により形成されてもよい。
【００３０】
また、本発明は、上記の電磁タッチ構造を含む直下型バックライト表示モジュールをさらに提供する。また、本発明は、上記の直下型バックライト表示モジュールを含むディスプレイをさらに提供する。これによって、電磁タッチ構造の周囲の縁部に永久磁石構造（例えば珪素（シリコン）鋼板）を追加することで、金属後部筐体の縁部に対応する電磁アンテナモジュールの縁部のコイルの磁束量を強化することができるため、この応用シナリオにおける縁部での電磁による手書きの信号応答を改善し、手書きが縁部で異常になるとの問題を改善することができ、ディスプレイのエッジで電磁タッチ構造の手書き及びタッチの機能を正常に利用することができる。
【００３１】
なお、本実施例では、用語「下」、「上」、「前」、「後」、「左」、「右」、「内部」、「外部」、「上部、「下部」、「一方側」、「他方側」、「一方の端」、「他方の端」などで示される位置関係は、図面に基づいて示される位置関係である。「第１」、「第２」などの用語は、異なる構成部材を区別するためのものである。これらの用語は、単に本発明を説明、或いは簡単に説明するためのものであり、本発明を制限するものではない。
【００３２】
上述した各実施例の各技術的特徴を任意に組み合わせてもよく、簡潔に説明するために、上述した各実施例の各技術的特徴の全ての可能な組み合わせを説明していないが、これらの技術的特徴の組み合せに矛盾がない限り、これらの組み合わせは全て本明細書に記載された範囲に属する。
【００３３】
以上は具体的な実施例を参照しながら本発明の幾つかの態様を説明しているが、上記の説明は、例示的なものに過ぎず、本発明の特許の範囲を限定するものではない。なお、当業者にとって、本発明の趣旨を離脱しない限り、本発明に対して各種の変形及び改良を行ってもよく、これらの変形及び修正も本発明の範囲に属する。よって、本発明の特許の保護範囲は、添付する特許請求の範囲に依るものである。
【図１】
2021526273.tif 000003
【図２】
2021526273.tif 000004
【図３】
2021526273.tif 000005
【図４】
2021526273.tif 000006
【図５】
2021526273.tif 000007
【国際調査報告】
2021526273.tif 000008
2021526273.tif 000009
2021526273.tif 000010
2021526273.tif 000011